(57)【要約】【課題】従来品は容易な様に芯を広げた物が多く、芯を狭めたフェースも最下部より上部で打球する事する技術である。基本フェースの何処で打っても一定の精度が保たれ練習効果が低い。又、円形状に芯を狭めたフェースは最下部よりかなり上部に芯が設定され、ヘッドを鋭角に振り下ろすダウンブロープレーンショットに適した形状でシャロープレーンショットの打球練習に最適ではない。【解決手段】クラブフェース面の中央下部から中心部にかけ高さ約２２ｍｍの半円形状及び半楕円形状及び横長長方形状等、板状の突起板を貼り付けフェース面に明確な段差を設けてミスヒットした際に容易に打感認識でき、又、飛球方向による誤打球認識ができる様に設計、クラブフェースの中央下部の最下部から上部段差迄の範囲でボールをヒットする事でシャロープレーン軌道の意識を高めるショット練習に最適な形状構成とした。【選択図】図１
2017080359.tif 000002
【特許請求の範囲】
【請求項１】
フェース面の中央下部が最下部から上方中心部分にかけて半円形の凸状に隆起した突起板部分を打点域として段差を成すゴルフクラブフェースである。
【請求項２】
フェース面の中央下部が最下部から上方中心部分にかけて半楕円形の凸状に隆起した突起板部分を打点域として段差を成すゴルフクラブフェースである。
【請求項３】
フェース面の中央下部が最下部から上方中心部分にかけて横長長方形の凸状に隆起した突起板部分を打点域として段差を成すゴルフクラブフェースである。
【発明の詳細な説明】
【技術分野】
【０００１】本発明は、ゴルフにおけるスイングプレーン軌道の矯正及びショットの上達を目的とした、段差を特徴とするクラブフェース表面の形状並びに構成に関するものである。
【背景技術】
【０００２】ゴルフクラブでは、フェース面に点や点線、直線、曲線等の凹み溝を施した仕様や、フェース表面に緩やかな膨らみを持たせた形状のものや、又、フェース表面中心部分のエリアを円形状の膨らみを持たせて突出させたクラブフェースが存在する。【０００３】又、クラブフェースの表面に僅かな凹み溝や円状の膨らみ部分を持たせたもの以外では、クラブフェースは平坦状でもボールを打った際にフェース面全体に凹みを発生させ、スプリング効果を持たせる仕組みのもの等があるが、本考案とは異なる技術であり、クラブフェース表面中央下部のアンダーフェースエリアを半円形状、又、半楕円形状、又、横長長方形状の突起板で明確に段差を持たせたクラブフェースは存在しない。【０００４】既存の原理は、芝や雨水に対するフェース面の堀溝の処理に関する技術であったり、フェースの中心部分でボールを捕える技術や、フェースの内部構造の形状により、ボールとフェースが衝突する反発でボールを飛ばす技術等であり、様々あるが、それら全てフェース表面部は平らな形状を成すクラブフェースなのであって、明確なクラブフェースの段差やフェースの最下部から立ち上がり周辺部分での打撃練習を目的とする技術ではない。
【発明の開示】
【発明が解決しようとする課題】
【０００５】従来品のクラブフェース表面域は、本来、実際の打球においては活用しない芯部のスイートスポット以外の余禄部分が大半であり、円形状の突出面を持つ考案フェースにおいても同様、最下部から若干上部に上がったアンダーポイントから上部全体のエリアで打球することを目的としている。【０００６】ゴルフの打球においては、プレーヤー個々の独自のスイング理論等において、若干の差異があるにせよ、打球の際にボールをクラブフェースの何処で打っても良いというものではなく、飛距離を稼いだり正確な方向性や距離感を出す上において、常にボールをクラブフェースの芯部でミートすることは最も重要な課題なのである。【０００７】よって、ただ広いだけのフェース面はハイレベルな上達練習においては不必要な部分との考え方ができ、ゴルフ練習全体論としても、アドレス時やショットの際に、芯部を明確に認識できる事、そして打球において、ジャストヒットとミスヒットとを明確に判別しながら打球練習する事は、ゴルフを上達する上でとても重要な事なのである。【０００８】クラブフェース芯部の活用認識については、現下においても、プレーヤー個々の体形、筋力、アドレスフォーム、スイングリズム、スイングテンポ、スイング軌道、ヘッドの入射角度、ヘッドスピード、球筋等、様々な要因において、それぞれ上下左右等位置の捕え方に関しては様々な理論が存在するが、本件に関しては、主にフェース面中央部の芯部下側域の活用スイング理論に基づくシャロープレーン軌道ショットの習得を目的とする練習用クラブフェースの形状等に関する考案である。
【課題を解決するための手段】
【０００９】本発明は、主にクラブフェース面のスイートスポット域のうち、中央下部のエリアを活用するスイング理論に基づく、シャロープレーン軌道スイングショットの習得を目的とする練習用のクラブフェースの開発であり、より合理的なクラブフェースの形状設計を実現する為、先ず着色ボールによる打球テストを行い、それぞれのスイング軌道による打点データの収集に着手した。【００１０】通常フェースのゴルフクラブを用いて、黒く着色したボールでの打球テストを行い、クラブフェース面に付着した打点痕跡の形状を検証したところ、幾度の実験結果においても、シャロースイング軌道の場合、中央下部から約２２ｍｍ程度上部にかけて半円形状の打球痕が付く事が判明、又、ダウンブロースイング軌道の場合、少し高さが増し２５ｍｍ程度の半円形状の打球痕が付く事が判明したのである。【００１１】それぞれのスイングプレーンの軌道により、打点位置の高低に差異が生じる事が確認され、そしてフェースに付着した打球痕の形状から、地表上のボールを打つ際のクラブフェースの打点域が半円形状である事、その付着した着色痕こそが最小打点域であるという事を突き止めたのである。【００１２】上記の実験結果に基づき、クラブフェース中央下部の最下点から上部に向けて半円形状の鉄板を貼り付けて段差を設け、最小打点域の半円形状突起板フェースを発明した。「請求項１」【００１３】クラブフェース中央下部の最下点から上部に向けて半楕円形状の鉄板を貼り付けて段差を設け、両サイドに若干の余禄を設けた次小打点域の半楕円形状突起板フェースを発明した。「請求項２」【００１４】クラブフェース中央下部の最下点から上部に向けて横長長方形状の鉄板を貼り付けて段差を設け、両サイドに一定の余禄を設けた標準横長長方形状突起板フェースを発明した。「請求項３」
【発明の効果】
【００１５】本発明「請求項１」のクラブフェースで、アドレスしたところ、先ず、半円形状の突起板がボールと正対する事で、クラブフェース中央最下部の刃の部分から僅か上部のエリアのみが打点域である事が認識でき、打点域が明確になった事でクラブヘッドの軌道やスイングのイメージが湧きやすくなった。そして、打球テストでショットしたところ、ダウンブロープレーン軌道のスイングではショットがし難く、シャロープレーン軌道のスイングではショットがし易い事から、クラブヘッドを地表に対して水平にに近い軌道で振り抜こうとする意識が、自然に高まった事が確認された。又、通常のフェースでのショットが更に安定したシャロー軌道になっている事が確認され、本考案のシャロープレーン軌道のスイング習得効果が確認されたのである。【００１６】本発明「請求項２」のクラブフェースで、アドレスしたところ、先ず、平たい楕円形状の突起板がボールと正対する事で、クラブフェース中央最下部の刃の部分から僅か上部のエリアのみが打点域である事が認識でき打点域が明確になった事でクラブヘッドの軌道やスイングのイメージが湧きやすくなった。そして、打球テストでショットしたところ、ダウンブロープレーン軌道のスイングではショットがし難く、シャロープレーン軌道のスイングではショットがし易い事から、クラブヘッドを地表に対して水平にに近い軌道で振り抜こうとする意識が、自然に高まった事が確認された。又、通常のフェースでのショットが更に安定したシャロー軌道になっている事が確認され、本考案のシャロープレーン軌道のスイング習得効果が確認されたのである。【００１７】本発明「請求項３」のクラブフェースで、アドレスしたところ、先ず、横長長方形状の突起板がボールと正対する事で、クラブフェース中央最下部のソールの刃の部分から僅か上部のエリアのみが打点域である事が認識でき、打点域が明確になった事でクラブヘッドの軌道やスイングのイメージが湧きやすくなった。そして、打球テストでショットしたところ、ダウンブロープレーン軌道のスイングではショットがし難く、シャロープレーン軌道のスイングではショットがし易い事から、クラブヘッドを地表に対して水平にに近い軌道で振り抜こうとする意識が、自然に高まった事が確認された。又、通常のフェースでのショットが更に安定したシャロー軌道になっている事が確認され、本考案のシャロープレーン軌道のスイング習得効果が確認されたのである。【００１８】本発明「請求項１〜３」は、更に突起板域から外れてミスヒットショットした場合と、ジャストヒットショットの打感の違いが明確である事、飛球方向の違いも明確である事が共に確認されたのである。【００１９】本発明「請求項１〜３」において、２ｍｍ鉄板、４ｍｍ鉄板の突起板を装着したクラブフェースでショット練習をしたが、それぞれ共に３ｍｍ鉄板と同様の効果がある事が確認され、通常のフェースでのショットが更に安定したシャロー軌道になっていることが確認され、本考案のシャロープレーン軌道のスイング学習効果が確認されたのである。
【発明を実施するための最良の状態】
【００２０】本発明「請求項１〜３」は、一般的にクラブヘッド本体の素材に用いられるチタン合金、軟鉄、ステンレス、カーボン等々、比較的軽量で丈夫な材質であれば何らの制限はないが、突起板を貼り付ける場合は取替え可能な脱着式が望ましく、又、突起板の貼り付け以外では、表面の削り出し加工、又は一体成形等が望ましいと思われる。
【実施例】
【００２１】「請求１」において、厚み３ｍｍ直径４４ｍｍ高さ２２ｍｍの半円形状の鉄板をクラブフェース面中央最下部から上部に向けてエポキシ系の接着剤を用いて貼り付け、本考案のクラブフェースが完成したのである。【００２２】「請求項２」において、厚み３ｍｍ直径４４ｍｍ高さ２２ｍｍの楕円形状の鉄板をクラブフェース面中央最下部から上部に向けてエポキシ系の接着剤を用いて貼り付け、本考案のクラブフェースが完成したのである。【００２３】「請求項３」において、厚み３ｍｍ直径５４ｍｍ高さ２２ｍｍの横長長方形状の鉄板をクラブフェース面中央最下部から上部に向けてエポキシ系の接着剤を用いて貼り付け、本考案のクラブフェースが完成したのである。【００２４】「請求項１〜３」において、更に厚み２ｍｍの鉄板と、厚み４ｍｍの鉄板を利用し、本発明フェース面の貼り板を接着剤を使用せずに、それぞれ脱着できる様にネジ止めにて固定し、厚みの異なる突起板を自由に貼り変え出来る脱着式のフェースが完成したのである。
【産業上の利用可能性】
【００２５】昨今、ゴルフ人口は年々減少しているとは言え、近年、五輪競技にも採用される等、年齢性別を問わず楽しめるスポーツであり、今後益々発展していく可能性のある競技スポーツです。本発明はこれまでにない合理的な発想であり、初心者の上達から上級者の更なる上達に寄与できる練習用具として幅広い需要が期待できます。ショットの際のスイートスポット域を、フェース中央下部域とする理論に基づき、極限迄最小化したクラブフェース機能の活用技術は、無限の上達効果の可能性を有しております。本発明は製品の製造コストも低く、大量生産により量販することも可能であり、物流性も良く、広く一般に普及する可能性が大きい考案製品だと考えられます。
【図面の簡単な説明】
【００２６】
【図１】  本発明「請求項１」の実施形態を示す、本体の正面図である。
【図２】  本発明「請求項１」の実施形態を示す、本体の背面図である。
【図３】  本発明「請求項１」の実施形態を示す、本体の側面図である。
【図４】  本発明「請求項１」の実施形態を示す、本体の底面図である。
【図５】  本発明「請求項２」の実施形態を示す、本体の正面図である。
【図６】  本発明「請求項２」の実施形態を示す、本体の背面図である。
【図７】  本発明「請求項２」の実施形態を示す、本体の側面図である。
【図８】  本発明「請求項２」の実施形態を示す、本体の底面図である。
【図９】  本発明「請求項３」の実施形態を示す、本体の正面図である。
【図１０】  本発明「請求項３」の実施形態を示す、本体の背面図である。
【図１１】  本発明「請求項３」の実施形態を示す、本体の側面図である。
【図１２】  本発明「請求項３」の実施形態を示す、本体の底面図である。
【符号の説明】
【００２７】  １  「請求項１」半円形状の突起板
２  「請求項１」半円形状の突起板
３  「請求項１」半円形状の突起板
４  「請求項１」半円形状の突起板
５  「請求項２」半楕円形状の突起板
６  「請求項２」半楕円形状の突起板
７  「請求項２」半楕円形状の突起板
８  「請求項２」半楕円形状の突起板
９  「請求項３」横長長方形状の突起板
１０「請求項３」横長長方形状の突起板
１１「請求項３」横長長方形状の突起板
１２「請求項３」横長長方形状の突起板
【図１】
2017080359.tif 000003
【図２】
2017080359.tif 000004
【図３】
2017080359.tif 000005
【図４】
2017080359.tif 000006
【図５】
2017080359.tif 000007
【図６】
2017080359.tif 000008
【図７】
2017080359.tif 000009
【図８】
2017080359.tif 000010
【図９】
2017080359.tif 000011
【図１０】
2017080359.tif 000012
【図１１】
2017080359.tif 000013
【図１２】
2017080359.tif 000014